(57)【特許請求の範囲】
【請求項１】
鉄筋コンクリート建物の壁と柱を形成する仮枠構造において、コンクリート用仮枠せき板を、透明平板樹脂を折り曲げて成形し、隣り合う透明平板樹脂の一方の端部に、先端を斜め形状に成形した挿入用平板樹脂を接着して凸形契合部を形成すると共に、他方の端部に、挿入用平板樹脂を契合させるため、受止用平板樹脂と押え用平板樹脂を重ねて接着して凹形契合部を形成し、挿入用平板樹脂を凹形契合部の透明平板樹脂と押え用平板樹脂の間に挿入し、凹形契合部に取付けた回転式固定金具の契合穴を凸形契合部に取付けたセパレーターと型枠締付ナットの間に挟み込み、凸形契合部と凹形契合部を固定したことを特長とする鉄筋コンクリート建物を成形する透明仮枠構造。
【発明の詳細な説明】
【技術分野】
【０００１】  本発明は、鉄筋コンクリート建物の壁と柱を形成する仮枠構造において、壁と柱に用いる仮枠せき板を透明樹脂板で成形した仮枠に関するものである。
【背景技術】
【０００２】  鉄筋コンクリート建物の壁と柱を形成する仮枠にコンクリートを打設する際、コンクリートは、材料を適切に選定し、施工性能に優れて硬化後の品質が確保されるように配合が行われると、通常は仮枠の中にスムーズに打ち込まれ、しっかりと締め固めをしておけば耐久性のある壁と柱を造ることができる。
しかし、コンクリートを打ち込みやすくすることは、流動性を高めることになり、その流動性に応じて材料分離抵抗性（コンクリートの粘性）を高めなければ、材料分離（粗骨材がモルタル部分から離れる現象）が発生する。
また、材料分離抵抗性を高めても、流動させれば骨材は沈み、流動しやすいモルタルは流れて分離する。
また、一般的にコンクリートの打設時には高周波バイブレーターを使用するが、高周波バイブレーターでコンクリートに振動を長く与えると骨材が沈み、材料分離が生じる。
材料分離をすると、モルタルの多い箇所ではひび割れが生じやすくなるものの、ジャンカ（コンクリートの表面に骨材が集まった「豆板」、コンクリートの内部が詰まっていない「空洞」、コンクリートの表面に空洞が見られる「巣」等を総称してジャンカと呼ぶ）はできない。
ジャンカができるのは、骨材が集まるような打ち込みが主原因である。
たとえば、長い斜めシュートでコンクリートを打ち込むと、粗骨材は転がって遠い方に骨材が集まり、モルタルは粘性が高いためシュート面に沿ってゆっくり流れ、シュートの下で分離する。
配筋された仮枠内に斜めシュートを用いて打ち込む場合に、この分離を見逃すと、部分的に粗骨材が集まってジャンカができることがある。
また、ポンプ圧送による打ち込みは、材料分離を少なくさせる打ち込み方法の一つと考えられているが、打ち始めの時点や段取り替えの際に、配管内のコンクリートが落下することになり、骨材が先に走ってジャンカを造ることがある。
ジャンカができる要因にはいくつかのパターンがある。
（１）流動性が不足して未充てんになる場合。
（２）打込み速度が速く締固めが不十分になる場合。
（３）粗骨材が一部に集まる場合（この場合は、高周波バイブレーターで振動を与えてもモルタルは粗骨材の隙間を充てん出来ない）。
（４）モルタルが仮枠の隙間から抜け出して骨材だけが残される場合。
いずれも材料分離による影響が原因で発生する。
配筋状態や仮枠の形状に応じた施工性能をもつコンクリートであれば、（１）や（２）の原因のジャンカはできないし、仮枠を精度よく組み立てていれば（４）はあり得ない。しかし、（３）の原因は案外と見逃されやすく、ポンプ圧送を用いた施工であるにもかかわらず、ジャンカが生じてしまうことがある。
順調に圧送されている段階では筒先のフレキシブルホースを水平にして打ち込むため、筒先からの落下高さは自ずと小さく、問題になるほどの材料分離は生じないが、ところが、仮枠内のコンクリートをバランスよく打ち上げていくためには、筒先を移動する必要が生ずる。
その際には、フレキシブルホース内のコンクリートを一旦吐き出し、ブームを他の場所に移動して打込みを再開するが、ブームの中では斜めシュートの材料分離と同様の現象が起き、コンクリートの中で粗骨材が先行して吐き出されてしまう。
このように、仮枠にコンクリートを打ち込む際は、常にジャンカの発生を予測し、事前に、対策を講ずることが必要である。【０００３】  しかしながら、工事現場で一般的に用いられている木製仮枠のほとんどは、厚手のベニヤ板（コンパネ）の片側表面にコンクリートの付着を防ぐよう、平滑にするための塗料が塗布された合板仮枠のため、仮枠内部の打ち込まれたコンクリートの状態を見ることができないためジャンカの生じた場所を特定することができず、従来は、職人の経験と感覚だけで高周波バイブレーター等を使用して対応してきたため、ジャンカの発生を未然に防ぐことは困難であった。【０００４】  発生したジャンカを補修する一般的な方法としては、ジャンカの程度によりＡ〜Ｅの補修方法がある。
Ａ．砂利が表面に露出していない場合。
補修は不要。
Ｂ．砂利が露出しているが、表面の砂利を叩いても剥落することがなく、はつり取る必要がない程度。
補修方法は、ポリマーセメントモルタル等を塗布。
Ｃ．砂利が露出し、表層の砂利を叩くと剥落する場合。
補修方法は、不用部分をはつり取り正常な部分を露出させ、ポリマーセメントペースト等を塗布後、ポリマーセメントモルタル等を充填。
Ｄ．鋼材のかぶりから、やや奥まで砂利が露出し、空洞も観られる場合。
補修方法は、不用部分をはつり取り正常な部分を露出させ、無収縮モルタルを充填する。
Ｅ．コンクリートの内部に空洞が多数見られる。
補修方法は、不用部分をはつり取り正常な部分を露出させ、コンクリートで打ち換える。このように、ジャンカを補修する作業には、多くの労力とお金が必要であった。
【先行技術文献】
【０００５】  上記のような問題が発生しているため、半透明の樹脂を用いたパネル仮枠が数社から販売されている。
その中でも日本プラスチック型枠工業会に所属する「天馬株式会社」が製造販売しているリサイクル可能な複合強化プラスチック製型枠、商品名「カタパネル」、さらに、「大和技研工業株式会社」が製造販売しているコンクリート打設用樹脂製型枠、商品名「セフコン」が一般に知られている。
【発明の概要】
【発明が解決しようとする課題】
【０００６】  このように、コンクリートを打ち込む際に仮枠内部を観察することができる半透明製のプラスチック製仮枠も市販されているが、プラスチック製仮枠は金型を用いてプレス機により製作するため縦横のサイズが限定され、木製型枠のように縦横サイズを自由に製作することが困難であった。【０００７】  さらに、壁面のように平面状の仮枠に用いるプラスチック製仮枠は、前記の会社（天馬株式会社、大和技研工業株式会社）から販売されているが、柱の大きさに応じて使用することが可能な柱用のプラスチック製仮枠は無かった。
特に、鉄筋コンクリート建物の場合は、柱は建物を支えるための最も重要な構造物であり、コンクリートを柱の仮枠に打ち込む際、柱の内部のコンクリートの状態を把握して高周波バイブレーター等を的確な位置に挿入してジャンカの発生を抑えることが重要である。【０００８】  さらに、市販されているプラスチック製仮枠は、いずれの製品も半透明のため、コンクリート打ち込んでいる最中の仮枠内部のコンクリートの状態を正確に把握することが難しく、そのため、高周波バイブレーター等を的確な位置に挿入し振動時間を調整してジャンカを防ぐことが困難であった。【０００９】  さらに、コンクリートの角部はジャンカが発生しやすく、欠けやすいので、防止策として、仮枠組立が完成後、角部に面木（三角形をした木材）を固定していた。【００１０】  本発明は、コンクリート建物の壁の仮枠にコンクリートを打ち込む際、仮枠内部のコンクリートの状態を観察することができると共に、角部の面木を必要とせず、さらに仮枠せき板のサイズを、自由に形成できる仮枠を提供することを目的とする。
【課題を解決するための手段】
【００１１】  かかる課題を解決するため、請求項１に記載の発明は、鉄筋コンクリート建物の壁と柱を形成する仮枠構造において、コンクリート用仮枠せき板を、透明平板樹脂を折り曲げて成形し、隣り合う透明平板樹脂の一方の端部に、先端を斜め形状に成形した挿入用平板樹脂を接着して凸形契合部を形成すると共に、他方の端部に、挿入用平板樹脂を契合させるため、受止用平板樹脂と押え用平板樹脂を重ねて接着して凹形契合部を形成し、挿入用平板樹脂を凹形契合部の透明平板樹脂と押え用平板樹脂の間に挿入し、凹形契合部に取付けた回転式固定金具の契合穴を凸形契合部に取付けたセパレーターと型枠締付ナットの間に挟み込み、凸形契合部と凹形契合部を固定したことを特長とする。
【発明の効果】
【００１６】  請求項１に記載の発明によれば、鉄筋コンクリート建物の壁と柱を形成する仮枠構造において、コンクリート用仮枠せき板を、透明平板樹脂を折り曲げて成形し、隣り合う透明平板樹脂の一方の端部に、先端を斜め形状に成形した挿入用平板樹脂を接着して凸形契合部を形成すると共に、他方の端部に、挿入用平板樹脂を契合させるため、受止用平板樹脂と押え用平板樹脂を重ねて接着して凹形契合部を形成し、挿入用平板樹脂を凹形契合部の透明平板樹脂と押え用平板樹脂の間に挿入し、凹形契合部に取付けた回転式固定金具の契合穴を凸形契合部に取付けたセパレーターと型枠締付ナットの間に挟み込み、凸形契合部と凹型契合部を固定したことにより、仮枠にコンクリートを打ち込む際、打ち込まれたコンクリートの状態を把握することが出来るようになり、高周波バイブレーター等を的確な位置に挿入し振動時間を調整してジャンカを防ぐことが可能となった。
【実施例１】
【００２１】  以下、この発明の実施の形態１について説明する。
［発明の実施の形態１］【００２２】  図１乃至図１０には、この発明の実施の形態１を示す。【００２３】  図１で示すように、鉄筋コンクリート建物の一方の建て込みに使用するパネル仮枠は、従来から、鉄筋コンクリート建物の仮枠を組立てる現場で日常的に用いられてきた厚手のベニヤ板（コンパネ）の片側表面にコンクリートの付着を防ぐよう平滑にするための塗料（黄色であることが多い）が塗布された合板仮枠（仮枠せき板３と桟木４で形成される）を用い、合板仮枠にはプラスチックコーン５、セパレーター６が取付けられ、型枠締付具（図示せず）と単管２と合板仮枠（仮枠せき板３と桟木４で形成される）で壁と柱の一方の仮枠が形成される。【００２４】  他方の、建て込みに使用するパネル仮枠は、壁部分に用いる仮枠せき板に平板で透明な樹脂（アクリル板又は、塩ビ板又は、ＰＥＴ板又は、ポリカーボネート板）の透明平板樹脂壁Ａ部２１（板厚１ｍｍ、２ｍｍ、３ｍｍ、４ｍｍ、５ｍｍ、６ｍｍを部位により適位使用）を用い、透明平板樹脂壁Ａ部２１には、仮枠の一方のパネル仮枠に取付けた複数のセパレーター６の位置に対応した位置に複数個所の穴を開け、その穴にセパレーター６に型枠締付ナット７が取付けられると共に、透明平板樹脂壁Ａ部２１の端部には、隣り合う透明平板樹脂壁Ｂ部２３の端部を嵌め込み固定するための凸形契合部９が形成される。【００２５】  さらに、透明平板樹脂壁Ａ部２１と隣り合う壁と柱部分に用いる仮枠せき板にも、透明平板樹脂壁Ａ部２１と同様に平板で透明な樹脂（アクリル板又は、塩ビ板又は、ＰＥＴ板又は、ポリカーボネート板）の透明平板樹脂壁Ａ部２１（板厚１ｍｍ、２ｍｍ、３ｍｍ、４ｍｍ、５ｍｍ、６ｍｍを部位により適位使用）を用い、柱仮枠１１の角部はベンダー（曲げ加工機）を使い透明平板樹脂を４５度の角度で連続して２回折り曲げて面取り成形することにより、壁部分に用いる透明平板樹脂壁Ｂ部２３、透明平板樹脂壁Ｃ部１５と、柱部分に用いる角部２０、透明平板樹脂柱Ａ部１９、角部１８、透明平板樹脂柱Ｂ部１７、角部１６、透明平板樹脂柱Ｃ部１４、角部１３が形成され、透明平板樹脂壁Ｂ部２３の端部には、隣り合う透明平板樹脂壁Ａ部２１の凸形契合部９と契合させるための凹形契合部１０が形成される。【００２６】  このように、一枚の透明平板樹脂を折り曲げ壁・柱部分の仮枠せき板を形成することにより、必要な大きさの柱仮枠１１を簡単に成形することが出来るようになると共に、柱仮枠１１の角部を４５度の角度で２回折り曲げて面取り成形することにより、これまで、コンクリートの角部はジャンカが発生しやすく、欠けやすいので、防止策として、仮枠組立が完成後、角部に面木（三角形をした木材）を固定していたが、仮枠角部の面木が不要となり、仮枠を製作する際の費用と労力を軽減すことが可能となった。【００２７】  図２は、図１で説明した凸形契合部９と凹形契合部１０の構造について詳細に説明する。【００２８】  図２ａで示すように、凸形契合部９を構成する挿入用平板樹脂３０は、長板状の平板樹脂の先端を斜め形状に成形して透明平板樹脂壁Ａ部２１の端部に接着剤で固定し、さらにセパレーター６を固定する部分に凹形契合部１０との段差を無くすため長方形をして���央部に透明平板樹脂壁Ａ部２１と挿入用平板樹脂３０を貫通するための穴４０を開けた段差調整平板樹脂３１を接着剤で固定し、挿入用平板樹脂３０と透明平板樹脂２１を階段状になるように接着剤で固定して凸形契合部９を形成すると共に、他方の透明平板樹脂壁Ｂ部２３の端部に、透明平板樹脂壁Ｂ部２３と透明平板樹脂壁Ｂ部２３と同一の長さの長板状の受止用平板樹脂３３と長板状の押え用平板樹脂３８を、受止用平板樹脂３３が間に挟まれるようにコの字形に接着剤で固定して凹形契合部１０を形成し、さらに、段差調整平板樹脂３１に開けた穴４０から水平方向の凹形契合部１０に穴４１を開け、凸形契合部９の穴４０にセパレーター６を挿入すると共に、凹形契合部１０の穴４１にボルト３６を挿入し、そのボルト３６に、セパレーター６に嵌め込むことが出来るように丸形の契合穴３４を開けた打掛錠タイプの回転式打掛金具３５をナット３７で回転自在に取付け、次に凸形契合部９の挿入用平板樹脂３０を、凹形契合部１０の差込部３２に差し込み、次に回転式打掛金具３５を回転させて回転式打掛金具３５の契合穴３４をセパレーター６に嵌め込み、次に型枠締付ナット８をセパレーター６に取付け、型枠締付ナット８を回して締め付けることにより、回転式打掛金具３５と型枠締付ナット８が固定し、凸形契合部９と凹形契合部１０が一体となることにより、図２ｂで示すように、透明平板樹脂契合部４２が形成され、透明平板樹脂壁Ａ部２１と透明平板樹脂壁Ｂ部２３が一体となることにより仮枠せき板が形成される。【００２９】  図３は、図１で説明した凸形契合部９と凹形契合部１０を図２で説明したように契合させ、柱仮枠１１の透明平板樹脂柱Ａ部１９と透明平板樹脂柱Ｃ部１４をセパレーター（図示せず）と型枠締付ナット４５で固定した状態を示すと共に、このように構成した透明平板樹脂壁Ａ部２１、透明平板樹脂壁Ｂ部２３、透明平板樹脂柱Ａ部１９、透明平板樹脂柱Ｂ部１７、透明平板樹脂柱Ｃ部１４、透明平板樹脂壁Ｃ部１５を建物の床スラブに固定するための壁用せき板固定部材５２と柱用せき板固定部材５５と壁用せき板固定部材５８を示す。【００３０】  図３、図４で示す、透明平板樹脂壁Ａ部２１を建物の床スラブに固定するための壁用せき板固定部材５２は、Ｌ字型に形成した２枚のＬ形スラブ固定鋼板４８とＬ形スラブ固定鋼板５０を上下に重ね、Ｌ形スラブ固定鋼板４８の挟み部４６とＬ形スラブ固定鋼板５０の挟み部４７の間に透明平板樹脂壁Ａ部２１を挟み込み、Ｌ形スラブ固定鋼板４８とＬ形スラブ固定鋼板５０に開けた穴５１に床スラブ固定用のビス４９を挿入して透明平板樹脂壁Ａ部２１を床スラブに固定させる。同様に、透明平板樹脂壁Ｂ部２３、透明平板樹脂柱Ａ部１９、透明平板樹脂柱Ｂ部１７、透明平板樹脂柱Ｃ部１４、透明平板樹脂壁Ｃ部１５を建物の床スラブに固定するための柱用せき板固定部材５５は、柱形状に形成した２枚の柱形スラブ固定鋼板５３と柱形スラブ固定鋼板５４を上下に重ね、透明平板樹脂壁Ｂ部２３、透明平板樹脂柱Ａ部１９、透明平板樹脂柱Ｂ部１７、透明平板樹脂柱Ｃ部１４、透明平板樹脂壁Ｃ部１５を柱用せき板固定部材５５の挟み部に挟み込み、柱形スラブ固定鋼板５３と柱形スラブ固定鋼板５４に開けた穴５６にビス５７を挿入して柱形スラブ固定鋼板５３と柱形スラブ固定鋼板５４を床スラブにビス５７を固定することにより透明平板樹脂壁Ｂ部２３、透明平板樹脂柱Ａ部１９、透明平板樹脂柱Ｂ部１７、透明平板樹脂柱Ｃ部１４、透明平板樹脂壁Ｃ部１５を床スラブに固定させる。同様に、壁用せき板固定部材５８で透明平板部材壁Ｃ部１５を床スラブに固定させる。【００３１】  さらに、図４で示すように、透明平板樹脂壁Ａ部２１、透明平板樹脂壁Ｂ部２３の室内側には、透明平板樹脂壁Ａ部２１、透明平板樹脂壁Ｂ部２３を室内側から固定するため、軽量溝形鋼６７（厚さ１．６ｍｍ、ウェブ巾５０ｍｍ、フランジ巾１０ｍｍ）の透明平板樹脂押え部６３を透明平板樹脂壁Ａ部２１、透明平板樹脂壁Ｂ部２３、透明平板樹脂壁Ｃ部１５と相対するように縦に複数本配置し、その複数本の軽量溝形鋼６７の室内側の軽量溝形鋼押え当接部６４（フランジ部）に対して、横方向に配置した複数本のＬ形鋼板６８（各辺２０ｍｍ）をボルト７０とナット６９で固定した壁用透明せき板樹脂押えＡ部材６５を配置すると共に、同様に、透明平板樹脂壁Ｂ部１５の室内側にも壁用透明せき板樹脂押えＡ部材６５と同一の壁用透明せき板樹脂押えＢ部材６６が配置される。【００３２】  図５は、図４で説明した壁用透明せき板樹脂押えＡ部材６５、壁用透明せき板樹脂押えＢ部材６６と同様に、柱仮枠１１の透明平板樹脂柱Ａ部１９、透明平板樹脂柱Ｂ部１７、透明平板樹脂柱Ｃ部１４の室内側に、壁用透明せき板樹脂押えＡ部材６５と同一形状の柱用透明せき板樹脂押えＡ部材７７、柱用透明せき板樹脂押えＢ部材８６、柱用透明せき板樹脂押えＣ部材８７が配置される。【００３３】  図６は、図４と図５で説明した壁用透明せき板樹脂押えＡ部材６５と壁用透明せき板樹脂押えＢ部材６６と柱用透明せき板樹脂押えＡ部材７７、柱用透明せき板樹脂押えＢ部材８６、柱用透明せき板樹脂押えＣ部材８７を、透明平板樹脂壁Ａ部２１、透明平板樹脂壁Ｂ部２３、透明平板樹脂柱Ａ部１９、透明平板樹脂柱Ｂ部１７、透明平板樹脂柱Ｃ部１４、透明平板樹脂壁Ｂ部１５に押し付けた状態を示す。【００３４】  図７と図８は、図６で説明した壁用透明せき板樹脂押えＡ部材６５と壁用透明せき板樹脂押えＢ部材６６と柱用透明せき板樹脂押えＡ部材７７と柱用透明せき板樹脂押えＢ部材８６と柱用透明せき板樹脂押えＣ部材８７を、透明平板樹脂壁Ａ部２１、透明平板樹脂壁Ｂ部２３、透明平板樹脂柱Ａ部１９、透明平板樹脂柱Ｂ部１７、透明平板樹脂柱Ｃ部１４に固定するためのＺ形軽量溝形鋼押え部材１２０、１２３を示す。【００３５】  Ｚ形軽量溝形鋼押え部材１２０、１２３は、図８で示すように平板鋼板の両端部を互いに逆方向に直角に折り曲げた押え部１３０、１３１（厚さ１．６ｍｍ、巾１５ｍｍ）と、支え部１３２、１３５（厚さ１．６ｍｍ、巾６０ｍｍ）と、折り曲げ部１３３、１３４（厚さ１．６ｍｍ、巾１５ｍｍ）で成形した２枚の軽量溝形鋼押え部材９５、９６を、壁用透明せき板樹脂押えＡ部材６５の室内側に上下逆さに配置し、軽量溝形鋼押え部材９５、９６で軽量溝形鋼６７を固定するため、セパレーター６の室内側に、長方形の平板鋼板をコの字形に折り曲げ、そのウェブ面に型枠締付ナット７を固定��るための穴１１８（図７ｂで示す）を開け、両側のフランジ面の上部にコの字形をした乗せ台１１６を成形し、下部に柄杓状の挟み込み部１１７を形成した座金付型枠締付具９７を配置し、座金付型枠締付具９７の乗せ台１１６に軽量溝形鋼押え部材９５の折り曲げ部１３３を乗せ、挟み込み部１１７に軽量溝形鋼押え部材９６の折り曲げ部１３４を挟み込み、型枠締付ナット７を座金付型枠締付具９７の穴１１８（図７ｂで示す）に挿入し、ナット９８で座金付型枠締付具９７を型枠締付ナット７に固定することにより、軽量溝形鋼押え部材９５、９６の押え部１３０、１３１が壁用透明せき板樹脂押えＡ部材６５を固定し、さらに壁用透明せき板樹脂押えＡ部材６５が透明平板樹脂壁Ａ部２１を固定することにより、仮枠の建て込みに使用する片方の仮枠が構築され、倉庫や施工現場で軽量溝形鋼押え部材９５、９６を保管する際、軽量溝形鋼押え部材９５、９６を重ねて保管することが出来るようになるため、狭い場所で保管することが出来るようになると共に、軽い軽量溝形鋼押え部材９５、９６を使用するため施工現場で仮枠職人さんの労力を軽減させることが可能となった。【００３６】  図７は、図８で説明した軽量溝形鋼押え部材を、図６で説明した壁と柱に取付けた壁用透明せき板樹脂押えＡ部材６５、柱用透明せき板樹脂押えＡ部材７７、柱用透明せき板樹脂押えＢ部材８６、柱用透明せき板樹脂押えＣ部材８７、柱用透明せき板樹脂押えＢ部材６６に固定するため、図７ａで示すように壁軽量溝形鋼押え部材９５の端部９４を柱軽量溝形鋼押え部材１００の折り曲げ部９３に溶接して固定することにより、図７ｂで示すように壁軽量溝形鋼押え部材９５、９６と柱軽量溝形鋼押え部材１００、１０１が溶接部１１４、１１５で接合され、壁用透明せき板樹脂押えＡ部材６５と柱透明せき板樹脂押えＡ部材７７を透明平板樹脂壁Ａ部２１、透明平板樹脂壁Ｂ部２３と透明平板樹脂柱Ａ部１９に固定するための押え部材が一体となりＺ形軽量溝形鋼押え部材１２３を形成することにより、壁と柱の両方の透明平板樹脂を一度に頑強に固定することが出来るようになった。【００３７】  同様に、透明平板樹脂柱Ｃ部１４と透明平板樹脂壁Ｃ部１５に対しても、図４、図５で説明した柱用透明せき板樹脂押えＣ部材８７と壁用透明せき板樹脂押えＢ部材６６を、図７ｂで示すように壁軽量溝形鋼押え部材１０９、１１２と柱軽量溝形鋼押え部材１０３、１０５が一体となったＺ形軽量溝形鋼押え部材１２０で固定することにより、壁と柱の両方の透明平板樹脂を頑強に固定することが出来るようになった。【００３８】  図９は、図７、図８で説明したＺ形軽量溝形鋼押え部材１２０、１２３を使うことにより、図６で説明した壁用透明せき板樹脂押えＡ部材６５と柱用透明せき板樹脂押えＡ部材７７と柱用透明せき板樹脂押えＢ部材８６と柱用透明せき板樹脂押えＣ部材８７と壁用透明せき板樹脂押えＢ部材６６を、透明平板樹脂壁Ａ部２１と透明平板樹脂壁Ｂ部２３と透明平板樹脂柱Ａ部１９と透明平板樹脂柱Ｂ部１７と透明平板樹脂柱Ｃ部１４と透明平板樹脂壁Ｃ部１５に固定した状態を示す。【００３９】  図１０は、図７で説明した固定用Ｌ形鋼板１１９を柱軽量溝形鋼押え部材１００と柱軽量溝形鋼押え部材１０３の先端上部に乗せ、柱軽量溝形鋼押え部材１００の穴１０２と柱軽量溝形鋼押え部材１０３の穴１０６を、固定用Ｌ形鋼板１１９の穴１２２、１２４位置に合せてビス１２１で固定用Ｌ形鋼板１１９と柱軽量溝形鋼押え部材１００と柱軽量溝形鋼押え部材１０３を固定した状態を示す。このように図１０ａで示すように固定用Ｌ形鋼板１１９の軽量溝形鋼押え部１２５を、図５で説明した柱用透明せき板樹脂押えＢ部材８６の軽量溝形鋼押え当接部８９に押し付けることにより、柱用透明せき板樹脂押えＢ部材８６が透明平板樹脂柱Ｂ部１７を固定することが可能となった。
【実施例２】
【００４０】  以下、この発明の実施の形態２について説明する。
［発明の実施の形態２］【００４１】  図１１と図１２には、この発明の実施の形態２を示す。上記発明の実施の形態１では、図５で説明したように、透明平板樹脂柱Ｂ部１７の室内側に透明平板樹脂柱Ｂ部１７を室内側から固定するため、軽量溝形鋼８２の柱用透明せき板樹脂押えＢ部材８６を透明平板樹脂柱Ｂ部１７と相対するように縦に複数本配置し、その複数本の軽量溝形鋼８２の室内側の軽量溝形鋼押え当接部８９と、横方向に配置した複数本のＬ形鋼板８５をボルト８４とナット８３で固定していたが、この発明の実施の形態２では、図１１で示ように、透明平板樹脂柱Ｂ部１６３の室内側に、透明平板樹脂柱Ｂ部１６３を室内側から固定するため、木製の角材１６１を縦に複数本配置し、その複数本の角材１６１の室内側に複数本のＬ形鋼板１５９を横方向に配置し、角材１６１とＬ形鋼板１５９を木ねじ１６０で固定することにより柱用透明せき板樹脂押えＢ部材１６２が形成され、図１２で示すように、柱用透明せき板樹脂押えＢ部材１６２は固定用Ｌ形鋼板１７４により透明平板樹脂柱Ｂ部１６３に固定される。同様に、透明平板樹脂壁Ａ部１６７、透明平板樹脂壁Ｂ部１４５、透明平板樹脂柱Ａ部１６５、透明平板樹脂柱Ｃ部１５６、透明平板樹脂壁Ｃ部１５５についても柱用透明せき板樹脂押えＢ部材１６２の形状と同様の壁用透明せき板樹脂押えＡ部材１７２、柱用透明せき板樹脂押えＡ部材１７３、壁用透明せき板樹脂押えＢ部材１８５がＺ形角材押え部材１７１、１７９により固定される。その他の構造に関しては、この発明の実施の形態１と同様である。
【実施例３】
【００４２】  以下、この発明の実施の形態３について説明する。
［発明の実施の形態３］【００４３】  図１３には、この発明の実施の形態３を示す。上記発明の実施の形態１では、図５で説明したように、透明平板樹脂柱Ｂ部１７の室内側に透明平板樹脂柱Ｂ部１７を室内側から押えるため、軽量溝形鋼８２（厚さ１．６ｍｍ、ウェブ巾５０ｍｍ、フランジ巾１０ｍｍ）の透明平板樹脂押え部８８が透明平板樹脂柱Ｂ部１７と相対するように縦に複数本配置し、その複数本の軽量溝形鋼８２の室内側の軽量溝形鋼押え当接部８９と、横方向に配置した複数本のＬ形鋼板８５（各辺２０ｍｍ）をボルト８４とナット８３で固定していたが、この発明の実施の形態３では、透明平板樹脂を室内側から押えるため、軽量溝形鋼１９４に取付けた複数本のＬ形鋼板１９５のボルト１９７とナット１９６を緩めることにより、図１３ｂで示すように透明せき板樹脂押え部材１９１をコンパクトに畳むことが出来るようになり、施工現場への搬入が容易に出来るようになった。図４で説明した壁用透明せき板樹脂押えＡ部材６５、壁用透明せき板樹脂押えＢ部材６６、図５で説明した柱用透明せき板樹脂押えＡ部材７７、柱用透明せき板樹脂押えＣ部材８７についても、この発明の実施の形態３で説明したように図１３の透明せき板樹脂押え部材１９１と同様にコンパクトに畳むことが可能となった。その他の構造に関しては、この発明の実施の形態１と同様である。
【実施例４】
【００４４】  以下、この発明の実施の形態４について説明する。
［発明の実施の形態４］【００４５】  図１４には、この発明の実施の形態４を示す。上記発明の実施の形態３では、図１３で説明したように軽量溝形鋼１９４を押えるためのＬ形鋼板１９５を１本の鋼材で成形していたが、この発明の実施の形態４では、軽量溝形鋼２０５を支えるためのＬ形鋼板を２本のＬ形鋼板２０６とＬ形鋼板２０９で形成し、２本のＬ形鋼板２０６とＬ形鋼板２０９を折れ曲り部２０１で重ね合せてボルト２０８とナット２０７で固定したことにより、図１４ｂで示すように、透明せき板樹脂押え部２０１を中央部で半分に折り曲げ、高さを抑えてコンパクトに畳むことが出来るようになり、特に、狭い階段での搬入、天井高の低い施工現場への搬入が容易に出来るようになった。その他の構造に関しては、この発明の実施の形態３と同様である。
【実施例５】
【００４６】  以下、この発明の実施の形態５について説明する。
［発明の実施の形態５］【００４７】  図１５乃至図２１には、この発明の実施の形態５を示す。上記発明の実施の形態１では、連続する壁仮枠に柱仮枠を形成するための構造について説明したが、この発明の実施の形態５では、鉄筋コンクリート建物のコーナー部を構成する壁と柱の仮枠構造について図示する。壁用透明平板樹脂、柱用透明平板樹脂、透明平板樹脂契合部、壁用透明せき板樹脂押え部材、柱用透明せき板押え部材、Ｚ形軽量溝形鋼押え部材を構成する基本的な構造は、この発明の実施の形態１と同様である。
【実施例６】
【００４８】  以下、この発明の実施の形態６について説明する。
［発明の実施の形態６］【００４９】  図２２乃至図２８には、この発明の実施の形態６を示す。図２３で示すように、柱仮枠の仮枠せき板に平板で透明な樹脂（アクリル板、又は塩ビ板、又はＰＥＴ版、又はポリカーボネート板）を用い、施工する柱を縦に半分に割ったような形状になるように、柱用透明仮枠せき板３２７を柱形状に角部３３２、３３４を連続して２回折り曲げて面取り成形し、透明平板樹脂柱Ａ部３２８と透明平板樹脂柱Ｂ部３３３と透明平板樹脂柱Ｃ部３３５をコの字形に成形し、透明平板樹脂柱Ａ部３２８の端部には、図２ａで説明した凹形契合部１０と同一の形状をした凹形契合部３２９を形成すると共に、透明平板樹脂柱Ｃ部３３５の端部には、図２ａで説明した凸形契合部９と同一の形状をした凸形契合部３３６を形成し、同様に、柱用透明仮枠せき板３３７を柱形状に角部３４５、３４６を２回折り曲げて面取り成形し、透明平板樹脂柱Ｄ部３４２と透明平板樹脂柱Ｅ部３４３と透明平板樹脂柱Ｆ部３４４をコの字形に成形し、透明平板樹脂柱Ｆ部３４４の端部には、図２ａで説明した凹形契合部１０と同一の形状をした凹形契合部３３９を形成すると共に、透明平板樹脂柱Ｄ部３４２の端部には、図２ａで説明した凸形契合部９と同一の形状をした凸形契合部３３８を形成し、柱用透明仮枠せき板３２７の凹形契合部３２９と柱用透明仮枠せき板３３７の凸形契合部３３８を結合すると共に、同様に柱用透明仮枠せき板３２７の凸形契合部３３６と柱用透明仮枠せき板の凹形契合部３３９を結合させ、図２で説明した回転式打掛金具３５と同様の形状をした回転式打掛金具３４１を回転させてセパレーター３３１と型枠締付ナット３６４の間に挟み込むことにより、図２４で示すように、柱用透明仮枠せき板３２７と柱用透明仮枠せき板３３７が一体となり柱仮枠用の仮枠せき板が形成される。【００５０】  さらに、図２５、図２６で示すように、柱用透明仮枠せき板３２７と柱用透明仮枠せき板３３７の室内側には、柱用透明仮枠せき板３２７と柱用透明仮枠せき板３３７を室内側から固定するため、軽量溝形鋼３７８（厚さ１．６ｍｍ、ウェブ巾５０ｍｍ、フランジ巾１０ｍｍ）の透明平板樹脂押え部３７２を透明平板樹脂柱Ｃ部３３５と透明平板樹脂柱Ｆ部３４４と相対するように縦に複数本配置し、その複数本の軽量溝形鋼３７８の室内側の軽量溝形鋼押え当接部３７３（フランジ部）と、横方向に配置した複数本のＬ形鋼板３７７（各辺２０ｍｍ）をボルト３７５とナット３７６で固定した柱用透明仮枠せき板押え部材３７４が取付けられると共に、同様に、透明平板樹脂柱Ｂ部３３３、透明平板樹脂柱Ｅ部３４３、透明平板樹脂柱Ａ部と透明平板樹脂柱Ｄ部３４２の室内側にも柱用透明仮枠せき板押え部材３７１、柱用透明仮枠せき板押え部材３７９、柱用透明仮枠せき板押え部材３７０が取付けられる。【００５１】  このように構成した、柱用透明仮枠せき板押え部材３７４、３７１、３７９、３７０に図７、図８で説明したＺ形軽量溝形鋼押え部材１２０、１２３と同様の構造をしたＺ形軽量溝形鋼押え部材４３４、４３５、４３６、４３７、を固定することにより、図２８で示すように柱仮枠３２６が形成される。【００５２】  以上、実施の形態に基づいて、本発明に係る���筋コンクリート建物を成形する透明仮枠構造について詳細に説明してきたが、本発明は、以上の実施の形態に限定されるものではなく、発明の趣旨を逸脱しない範囲において各種の改変をなしても、本発明の技術的範囲に属するのはもちろんである。【００５３】  図１乃至図２８において、仮枠せき板に、平板で透明な樹脂（アクリル板又は、塩ビ板又は、ＰＥＴ板又は、ポリカーボネート板）の透明平板樹脂を用いると記載したが、ポリカーボネート樹脂中空ボードを用いることも、もちろん可能である。【００５４】  図１乃至図１４において、軽量溝形鋼とＬ形鉄板をボルトとナットで固定すると記載したが、タッピングネジを使って軽量溝形鋼にＬ形鉄板を取付け、運搬、資材搬入する際には、タッピングネジを緩めて、押え部材を畳むことも、もちろん可能である。【００５５】  図１乃至図２８において、一例として鉄筋コンクリート建物の壁を形成する仮枠構造において、一方の仮枠せき板に透明樹脂を用い、他方の仮枠せき板には、従来から、鉄筋コンクリート建物の仮枠を組立てる現場で日常的に用いられてきた厚手のベニヤ板（コンパネ）の片側表面にコンクリートの付着を防ぐよう平滑にするための塗料（黄色であることが多い）が塗布された合板仮枠を用いると説明してきたが、仮枠の両側のパネル仮枠を透明樹脂板と軽量溝形鋼を用いた透明せき板樹脂押え部材とＺ形軽量溝形鋼押え部材で構成することも、もちろん可能である。【００５６】  図１乃至図１４において、軽量溝形鋼の軽量溝形鋼押え部をＬ形鋼板で固定すると説明したが、Ｌ形鋼板の代わりにコの字形鋼板を用いて固定することも、もちろん可能である。【００５７】  図２において、凸形契合部９を構成する段差調整平板樹脂３１の形状を「長方形をして中央部に透明平板樹脂壁Ａ部２１と挿入用平板樹脂３０を貫通するための穴４０を開けた」と説明したが、段差調整平板樹脂３１の長さを挿入用平板樹脂３０の長さに合せて一枚の長板状に成形した段差調整平板樹脂を使用することも、もちろん可能である。
【図面の簡単な説明】
【００５９】
【図１】本発明の実施の形態１に係る、隣り合う透明平板樹脂製の仮枠せき板を並べた立体分解図である。
【図２】同実施の形態に係る、隣り合う透明平板樹脂製の仮枠せき板を結合させるための立体部品図である。
【図３】同実施の形態に係る、隣り合う透明平板樹脂製の仮枠せき板を結合させた立体図である。
【図４】同実施の形態に係る、図３の壁の透明平板樹脂を押えるための壁用透明せき板樹脂押え部材の立体図である。
【図５】同実施の形態に係る、図３の柱の透明平板樹脂を押えるための柱用透明せき板樹脂押え部材の立体図である。
【図６】同実施の形態に係る、図４と図５の壁用透明せき板樹脂押え部材と、柱用透明せき板樹脂押え部材を透明平板樹脂に取付けた立体図である。
【図７】同実施の形態に係る、壁用透明せき板樹脂押え部材と柱用透明せき板樹脂押押え部材を透明平板樹脂に固定するための、座金付型枠締付具とＺ形軽量溝形鋼押え部材の立体部部品図である。
【図８】同実施の形態に係る、座金付型枠締付具とＺ形軽量溝形鋼押え部材の断面図である。
【図９】同実施の形態に係る、図６の壁用透明せき板樹脂押え部材と、柱用透明せき板樹脂押え部材に、座金付型枠締付具でＺ形軽量溝形鋼押え部材を固定した状態の立体図である。
【図１０】同実施の形態に係る、図９のＺ形軽量溝形鋼押え部材を固定用Ｌ形鋼板で固定した状態の立体図である。
【図１１】本発明の実施の形態２に係る、透明平板樹脂を押えるための柱用透明せき板樹脂押えを木製の角材で構成した状態の立体図である。
【図１２】同実施の形態に係る、図１０の軽量溝形鋼を木製の角材に置き換えた状態の立体図である。
【図１３】本発明の実施の形態３に係る、透明せき板樹脂押え部を折り畳むことができるように構成した状態の立体図である。
【図１４】本発明の実施の形態４に係る、透明せき板樹脂押え部を折り畳むことができるように構成した状態の立体図である。
【図１５】本発明の実施の形態５に係る、隣り合う壁と柱の透明平板樹脂を並べた状態の立体分解図である。
【図１６】同実施の形態に係る、隣り合う壁と柱の透明平板樹脂を結合させた立体図である。
【図１７】同実施の形態に係る、図１６の壁の透明平板樹脂を押えるための壁用透明せき板樹脂押え部材の立体図である。
【図１８】同実施の形態に係る、壁用透明せき板樹脂押え部材と、柱用透明せき板樹脂押え部材を透明平板樹脂に取付けた立体図である。
【図１９】同実施の形態に係る、壁用透明せき板樹脂押え部材と柱用透明せき板樹脂押押え部材を透明平板樹脂に取付けるための、座金付型枠締付具とＺ形軽量溝形鋼押え部材の立体部品図である。
【図２０】同実施の形態に係る、図１８の壁用透明せき板樹脂押え部材と、柱用透明せき板樹脂押え部材に、座金付型枠締付具でＺ形軽量溝形鋼押え部材を固定した状態の立体図である。
【図２１】同実施の形態に係る、図２０のＺ形軽量溝形鋼押え部材を固定用Ｌ形鋼板で固定した状態の立体図である。
【図２２】本発明の実施の形態６に係る、鉄筋コンクリート建物の柱の鉄筋を立体図で示す。
【図２３】同実施の形態に係る、柱の鉄筋と、柱仮枠を構成する柱用透明仮枠せき板を立体分解図で示す。
【図２４】同実施の形態に係る、柱仮枠を構成する柱用透明仮枠せき板を組立てた状態を立体図で示す。
【図２５】同実施の形態に係る、図２４の柱仮枠を構成する柱用透明仮枠せき板に取付けるための柱用透明仮枠せき板押え部材を立体図で示す。
【図２６】同実施の形態に係る、柱用透明仮枠せき板押え部材を柱用透明仮枠せき板に取付けた状態を立体図で示す。
【図２７】同実施の形態に係る、柱用透明仮枠せき板押え部材を柱用透明仮枠せき板に固定するためのＺ形軽量溝形鋼押え部材を部品分解図で示す。
【図２８】同実施の形態に係る、Ｚ形軽量溝形鋼押え部材を柱用透明仮枠せき板押え部材に取付けた状態を立体図で示す。
【符号の説明】
【００６０】１                  仮枠
２                  単管
３                  仮枠せき板
４                  桟木
５                  プラスチックコーン
６                  セパレーター
７                  型枠締付ナット
８                  型枠締付ナット
９                  凸形契合部
１０                凹形契合部
１１                柱仮枠
１２                穴
１３                角部
１４                透明平板樹脂柱Ｃ部
１５                透明平板樹脂壁Ｃ部
１６                角部
１７                透明平板樹脂柱Ｂ部
１８                角部
１９                透明平板樹脂柱Ａ部
２０                角部
２１                透明平板樹脂壁Ａ部
２２                穴
２３                透明平板樹脂壁Ｂ部
３０                挿入用平板樹脂
３１                段差調整平板樹脂
３２                差込部
３３                受止用平板樹脂
３４                契合穴
３５                回転式打掛金具
３６                ボルト
３７                ナット
３８                押え用平板樹脂
３９                ナット
４０                穴
４１                穴
４２                透明平板樹脂契合部
４５                型枠締付ナット
４６                挟み部
４７                挟み部
４８                Ｌ形スラブ固定鋼板
４９                ビス
５０                Ｌ形スラブ固定鋼板
５１                穴
５２                壁用せき板固定部材
５３                柱形スラブ固定鋼板
５４                柱形スラブ固定鋼板
５５                柱用せき板固定部材
５６                穴
５７                ビス
５８                壁用せき板固定部材
５９                Ｌ形スラブ固定鋼板
６０                欠込み部
６１                Ｌ形スラブ固定鋼板
６３                透明平板樹脂押え部
６４                軽量溝形鋼押え当接部
６５                壁用透明せき板樹脂押えＡ部材
６６                壁用透明せき板樹脂押えＢ部材
６７                軽量溝形鋼
６８                Ｌ形鋼板
６９                ナット
７０                ボルト
７１                軽量溝形鋼
７７                柱用透明せき板樹脂押えＡ部材
７８                軽量溝形鋼
７９                ナット
８０                ボルト
８１                Ｌ形鋼板
８２                軽量溝形鋼
８３                ナット
８４                ボルト
８５                Ｌ形鋼板
８６                柱用透明せき板樹脂押えＢ部材
８７                柱用透明せき板樹脂押えＣ部材
８８                透明平板樹脂押え部
８９                軽量溝形鋼押え当接部
９０                座金付型枠締付具
９１                型枠締付ナット
９２                ナット
９３                折り曲げ部
９４                端部
９５                軽量溝形鋼押え部材
９６                軽量溝形鋼押え部材
９７                座金付型枠締付具
９８                ナット
９９                座金付型枠締付具
１００              柱軽量溝形鋼押え部材
１０１              柱軽量溝形鋼押え部材
１０２              穴
１０３              柱軽量溝形鋼押え部材
１０４              型枠締付ナット
１０５              柱軽量溝形鋼押え部材
１０６              穴
１０７              座金付型枠締付具
１０８              型枠締付ナット
１０９              壁軽量溝形鋼押え部材
１１０              座金付型枠締付具
１１１              ナット
１１２              壁軽量溝形鋼押え部材
１１３              座金付型枠締付具
１１４              溶接部
１１５              溶接部
１１６              乗せ台
１１７              挟み込み部
１１８              穴
１１９              固定用Ｌ形鋼板
１２０              Ｚ形軽量溝形鋼押え部材
１２１              ビス
１２２              穴
１２３              Ｚ形軽量溝形鋼押え部材
１２４              穴
１２５              軽量溝形鋼押え部
１２６              ナット
１２７              ナット
１２８              ナット
１３０              押え部
１３１              押え部
１３２              支え部
１３３              折り曲げ部
１３４              折り曲げ部
１３５              支え部
１３６              座金付型枠締付具
１３８              ナット
１３９              床スラブ
１４５              透明平板樹脂壁Ｂ部
１４６              仮枠
１４７              単管
１４８              仮枠せき板
１４９              桟木
１５０              プラスチックコーン
１５１              セパレーター
１５２              型枠締付ナット
１５３              透明平板樹脂契合部
１５４              柱仮枠
１５５              透明平板樹脂壁Ｃ部
１５６              透明平板樹脂柱Ｃ部
１５７              透明平板樹脂押え部
１５８              角材押え当接部
１５９              Ｌ形鋼板
１６０              木ねじ
１６１              角材
１６２              柱用透明せき板樹脂押えＢ部材
１６３              透明平板樹脂柱Ｂ部
１６４              柱用せき板固定部材
１６５              透明平板樹脂柱Ａ部
１６６              壁用せき板固定部材
１６７              透明平板樹脂壁Ａ部
１７１              Ｚ形角材押え部材
１７２              壁用透明せき板樹脂押えＡ部材
１７３              柱用透明せき板樹脂押えＡ部材
１７４              固定用Ｌ形鋼板
１７５              角材押え部
１７６              ビス
１７７              穴
１７８              壁用せき板固定部材
１７９              Ｚ形角材押え部材
１８０              角材
１８１              角材
１８２              木ねじ
１８３              Ｌ形鋼板
１８４              ビス
１８５              壁用透明せき板樹脂押えＢ部材
１９１              透明せき板樹脂押え部材
１９２              透明平板樹脂押え部
１９３              軽量溝形鋼押え当接部
１９４              軽量溝形鋼
１９５              Ｌ形鋼板
１９６              ナット
１９７              ボルト
２０１              透明せき板樹脂押え部材
２０２              折れ曲り部
２０３              透明平板樹脂押え部
２０４              軽量溝形鋼押え当接部
２０５              軽量溝形鋼
２０６              Ｌ形鋼板
２０７              ナット
２０８              ボルト
２０９              Ｌ形鋼板
２１５              仮枠
２１６              単管
２１７              仮枠せき板
２１８              桟木
２１９              凸形契合部
２２０              穴
２２１              凹形契合部
２２２              柱仮枠
２２３              桟木
２２４              仮枠せき板
２２５              単管
２２６              プラスチックコーン
２２７              セパレーター
２２８              型枠締付ナット
２２９              型枠締付ナット
２３０              透明平板樹脂壁Ｃ部
２３１              角部
２３２              透明平板樹脂柱Ｂ部
２３３              角部
２３４              透明平板樹脂柱Ａ部
２３５              角部
２３６              透明平板樹脂壁Ａ部
２３７              透明平板樹脂壁Ｂ部
２４１              プラスチックコーン
２４２              セパレーター
２４３              型枠締付ナット
２４４              型枠締付ナット
２４５              透明平板樹脂契合部
２４６              壁用せき板固定部材
２４７              穴
２４８              柱形スラブ固定鋼板
２４９              柱形スラブ固定鋼板
２５０              穴
２５１              穴
２５２              Ｌ形スラブ固定鋼板
２５３              Ｌ形スラブ固定鋼板
２５４              挟み部
２５５              挟み部
２５６              ビス
２５７              壁用せき板固定部材
２５８              柱用せき板固定部材
２５９              Ｌ形スラブ固定鋼板
２６０              欠込み部
２６１              Ｌ形スラブ固定鋼板
２６５              透明平板樹脂押え部
２６６              軽量溝形鋼押え当接部
２６７              壁用透明せき板樹脂押えＡ部材
２６８              Ｌ形鋼板
２６９              ボルト
２７０              ナット
２７１              軽量溝形鋼
２７６              柱用透明せき板樹脂押えＡ部材
２７７              柱用透明せき板樹脂押えＢ部材
２７８              壁用透明せき板樹脂押えＢ部材
２８０              穴
２８１              折り曲げ部
２８２              座金付型枠締付具
２８３              座金付型枠締付具
２８４              端部
２８５              壁軽量溝形鋼押え部材
２８６              壁軽量溝形鋼押え部材
２８７              座金付型枠締付具
２８８              ナット
２８９              柱軽量溝形鋼押え部材
２９０              型枠締付ナット
２９１              穴
２９２              座金付型枠締付具
２９３              柱軽量溝形鋼押え部材
２９４              柱軽量溝形鋼押え部材
２９５              柱軽量溝形鋼押え部材
２９６              壁軽量溝形鋼押え部材
２９７              ナット
２９８              座金付型枠締付具
２９９              壁軽量溝形鋼押え部材
３００              Ｚ形軽量溝形鋼押え部材
３０１              固定用Ｌ形鋼板
３０２              穴
３０３              ビス
３０４              溶接部
３０５              溶接部
３０６              Ｚ形軽量溝形鋼押え部材
３０７              挟み込み部
３０８              乗せ台
３０９              穴
３１０              穴
３１１              ナット
３１２              ナット
３１３              ナット
３１４              Ｌ形部
３２０              柱の鉄筋
３２１              主筋
３２２              帯筋
３２６              柱仮枠
３２７              柱用透明仮枠せき板
３２８              透明平板樹脂柱Ａ部
３２９              凹形契合部
３３０              穴
３３１              セパレーター
３３２              角部
３３３              透明平板樹脂柱Ｂ部
３３４              角部
３３５              透明平板樹脂柱Ｃ部
３３６              凸形契合部
３３７              柱用透明仮枠せき板
３３８              凸形契合部
３３９              凹形契合部
３４０              セパレーター
３４１              回転式打掛金具
３４２              透明平板樹脂柱Ｄ部
３４３              透明平板樹脂柱Ｅ部
３４４              透明平板樹脂柱Ｆ部
３４５              角部
３４６              角部
３５５              型枠締付ナット
３５６              柱用せき板固定部材
３５７              ビス
３５８              柱形スラブ固定鋼板
３５９              柱形スラブ固定鋼板
３６０              柱形スラブ固定鋼板
３６１              柱形スラブ固定鋼板
３６２              ビス
３６３              柱用せき板固定部材
３６４              型枠締付ナット
３７０              柱用透明仮枠せき板押え部材
３７１              柱用透明仮枠せき板押え部材
３７２              透明平板樹脂押え部
３７３              軽量溝形鋼押え当接部
３７４              柱用透明仮枠せき板押え部材
３７５              ボルト
３７６              ナット
３７７              Ｌ形鋼板
３７８              軽量溝形鋼
３７９              柱用透明仮枠せき板押え部材
３９０              固定用Ｌ形鋼板
３９１              ビス
３９２              穴
３９３              穴
３９４              固定用Ｌ形鋼板
３９５              ビス
３９６              穴
３９７              穴
３９８              固定用Ｌ形鋼板
３９９              ビス
４００              穴
４０１              穴
４０２              固定用Ｌ形鋼板
４０３              ビス
４０４              穴
４０５              穴
４０６              柱軽量溝形鋼押え部材
４０７              座金付型枠締付具
４０８              ナット
４０９              穴
４１０              穴
４１１              型枠締付ナット
４１２              柱軽量溝形鋼押え部材
４１３              穴
４１５              柱軽量溝形鋼押え部材
４１６              穴
４１７              柱軽量溝形鋼押え部材
４１８              ナット
４１９              座金付型枠締付具
４２０              座金付型枠締付具
４２１              ナット
４２２              穴
４２３              柱軽量溝形鋼押え部材
４２４              穴
４２５              柱軽量溝形鋼押え部材
４２６              型枠締付ナット
４２７              柱軽量溝形鋼押え部材
４２８              穴
４２９              ナット
４３０              座金付型枠締付具
４３１              柱軽量溝形鋼押え部材
４３２              穴
４３４              Ｚ形軽量溝形鋼押え部材
４３５              Ｚ形軽量溝形鋼押え部材
４３６              Ｚ形軽量溝形鋼押え部材
４３７              Ｚ形軽量溝形鋼押え部材
【図１】
0006593691.tif 000002
【図２】
0006593691.tif 000003
【図３】
0006593691.tif 000004
【図４】
0006593691.tif 000005
【図５】
0006593691.tif 000006
【図６】
0006593691.tif 000007
【図７】
0006593691.tif 000008
【図８】
0006593691.tif 000009
【図９】
0006593691.tif 000010
【図１０】
0006593691.tif 000011
【図１１】
0006593691.tif 000012
【図１２】
0006593691.tif 000013
【図１３】
0006593691.tif 000014
【図１４】
0006593691.tif 000015
【図１５】
0006593691.tif 000016
【図１６】
0006593691.tif 000017
【図１７】
0006593691.tif 000018
【図１８】
0006593691.tif 000019
【図１９】
0006593691.tif 000020
【図２０】
0006593691.tif 000021
【図２１】
0006593691.tif 000022
【図２２】
0006593691.tif 000023
【図２３】
0006593691.tif 000024
【図２４】
0006593691.tif 000025
【図２５】
0006593691.tif 000026
【図２６】
0006593691.tif 000027
【図２７】
0006593691.tif 000028
【図２８】
0006593691.tif 000029